(57)【要約】【課題】ユーザの利便性を低下させずに、電力消費を低減することができる画像形成システムを提供する。【解決手段】画像形成システムは、記録紙に画像を形成する画像形成装置１００及び拡張装置２００とを備え、拡張装置２００の制御部は、画像形成装置１００及び拡張装置２００が省電力状態にあるときに、画像形成指示を受付けたことに応じて、画像形成装置１００及び拡張装置２００を通常の電力消費状態に復帰させ、画像形成指示を受けた後、画像形成に関する条件の指示を受付けたことに応じて、制御部は、画像形成装置１００及び拡張装置２００の構成部分のうち、画像形成に関する条件の指示にしたがって実行される画像形成において使用されない部分への電力供給を停止する。これにより、ユーザの利便性を低下させずに、画像形成システムの電力消費を低減することができる。【選択図】図１
2013168764.tif 000002
【特許請求の範囲】
【請求項１】
記録紙に画像を形成する第１の画像形成手段及び第２の画像形成手段と、
前記第１の画像形成手段及び前記第２の画像形成手段を制御する制御手段と、
ユーザの指示を受付ける入力手段とを備え、
前記制御手段は、前記第１の画像形成手段及び前記第２の画像形成手段を省電力状態に遷移させた状態で、前記入力手段が、記録紙に画像を形成する指示である画像形成指示を受付けたことに応じて、第１の画像形成手段及び第２の画像形成手段を省電力状態から通常の電力消費状態に復帰させ、
前記入力手段が、前記画像形成指示を受付けた後、画像形成に関する条件の指示を受付けたことに応じて、前記制御手段は、前記第１の画像形成手段及び前記第２の画像形成手段のうち、前記条件の指示にしたがって実行される画像形成において使用されない画像形成手段を省電力状態に遷移させることを特徴とする画像形成システム。
【請求項２】
前記制御手段は、画面を表示する表示手段と、前記表示手段に表示された前記画面に対するユーザの操作を検出する検出手段とを備え、
前記制御手段は、複数の画面を前記表示手段に順次表示して、前記検出手段によりユーザの操作を検出することにより、前記条件の指示を受付け、
前記制御手段は、前記第１の画像形成手段及び前記第２の画像形成手段のうち、画像形成において使用されない画像形成手段を特定した時点で、特定された当該画像形成手段を省電力状態に遷移させることを特徴とする請求項１に記載の画像形成システム。
【請求項３】
前記第１の画像形成手段及び前記第２の画像形成手段による画像形成に使用する画像データを提供する提供手段をさらに備え、
前記制御手段は、前記提供手段の電力消費状態を制御し、
前記制御手段は、前記提供手段を省電力状態に遷移させた状態で、前記入力手段が前記画像形成指示を受付けたことに応じて、前記提供手段を省電力状態から通常の電力消費状態に復帰させ、
前記入力手段が、前記画像形成指示を受付けた後、前記条件の指示を受付けたことに応じて、前記制御手段は、前記条件の指示にしたがう画像形成における前記提供手段の必要性に応じて、前記提供手段を通常の電力消費状態に維持する処理と、前記提供手段を省電力状態に遷移させる処理とを選択的に実行することを特徴とする請求項１又は２に記載の画像形成システム。
【請求項４】
前記提供手段は、原稿を読取って画像データを生成する原稿読取手段、又は、画像データを記憶した記憶媒体から前記画像データを読出す読出手段であることを特徴とする請求項３に記載の画像形成システム。
【請求項５】
ＩＣカードリーダをさらに備え、
前記制御手段は、前記ＩＣカードリーダの電力消費状態を制御し、
前記制御手段は、前記ＩＣカードリーダを省電力状態に遷移させた状態で、前記入力手段が前記画像形成指示を受付けたことに応じて、前記ＩＣカードリーダを省電力状態から通常の電力消費状態に復帰させ、
前記入力手段が、前記画像形成指示を受付けた後、前記条件の指示を受付けたことに応じて、前記制御手段は、前記条件の指示にしたがう画像形成における前記ＩＣカードリーダの必要性に応じて、前記ＩＣカードリーダを通常の電力消費状態に維持する処理と、前記ＩＣカードリーダを省電力状態に遷移させる処理とを選択的に実行することを特徴とする請求項１から４の何れか１項に記載の画像形成システム。
【請求項６】
前記第１の画像形成手段及び前記第２の画像形成手段は、画像形成において相互に異なるサイズの記録紙を使用し、
前記入力手段が、前記画像形成指示を受付けた後、前記条件の指示を受付けたことに応じて、前記制御手段は、前記条件の指示により前記サイズを特定し、前記第１の画像形成手段及び前記第２の画像形成手段のうち、特定された前記サイズの記録紙を使用しない画像形成手段を省電力状態に遷移させることを特徴とする請求項１から５の何れか１項に記載の画像形成システム。
【発明の詳細な説明】
【技術分野】
【０００１】
本発明は、ユーザの利便性を低下させずに、電力消費を低減することができる画像形成システムに関する。
【背景技術】
【０００２】
電子機器である画像処理装置の１種として、多くの事業所（会社、事務所等）に、記録紙に画像を形成する画像形成装置（代表的にはコピー機）が導入されている。このような事業所において、プリンタ機能又はコピー機能等を備えた画像形成装置をネットワークに接続し、これらを複数のユーザで共用するケースが多くなっている。このような画像形成装置の１種である複合機（ＭＦＰ（ＭｕｌｔｉＦｕｎｃｔｉｏｎ  Ｐｅｒｉｐｈｅｒａｌ））は、コピーモード、ファクシミリモード（以下、ファクシミリをＦＡＸともいう）、ネットワーク対応のプリンタモード、及びスキャナモードのように、複数の基本的な動作モードを備える。
【０００３】
１つのシステムに画像形成装置が複数存在する場合、ユーザが利用する画像形成装置を指定しなくても、システムが自動的に適切な画像形成装置を判定して印刷するシステムが知られている。例えば、下記特許文献１には、複数のプリンタがネットワークに接続されたシステムにおいて、ユーザが印刷を要求した場合、印刷データの種類に応じて、印刷データに適したプリンタ及び印刷方法を自動的に選択する技術が開示されている。また、下記特許文献２には、異機種の複数のプリンタがネットワークに接続されたシステムにおいて、印刷条件に応じて、その印刷処理に適合するプリンタを自動的に選択する技術が開示されている。
【０００４】
また、コンビニエンスストア等の公共空間にも画像形成装置が設置され、コピー機能の提供に限らず、複合的なサービスがユーザに提供されている。例えば、下記特許文献３には、電子写真方式の画像形成装置であるＭＦＰと昇華型方式の画像形成装置とからなるシステムによって、ユーザの利便性を向上するシステムが開示されている。
【０００５】
電子写真プロセスの画像形成部を備えた画像形成装置では、感光体上に記録再現されたトナー像を記録紙上に転写する。加熱定着部はヒータ等の熱源を備え、記録紙上に転写されたトナーを、所定の温度及び圧力によって記録紙上に定着させる。したがって、画像形成が常に速やかに行なえる環境を提供しようとすると、加熱定着部の温度を一定に保つ必要がある。そのためにはヒータ等の熱源への通電制御を常に行なう必要がある。例えば、コピー実行までの時間が短縮されるように、待機時（いわゆるレディ状態）においても定着部のローラの温度をある程度の温度に保つことが行なわれる。
【０００６】
そうした制御を行なうと、当然に電力消費量が増加するという問題がある。１日の中でそれ程コピー機の利用頻度がない場合にも、上記のように定着部を保温状態にしておくことは、非常に無駄である。ヒータは大きな電力を必要とするので、省エネルギーの観点からは特に問題となる。
【０００７】
そこで、近年では、画像形成装置が一定の時間以上使用されなければ、画像形成部のヒータ等の電力消費量が大きい部分への電力供給を停止して、省電力モードになる機能を備えた画像形成装置が知られている。また、画像形成装置を強制的に省電力モードに遷移させるための節電キーを備えた画像形成装置も知られている。
【先行技術文献】
【特許文献】
【０００８】
【特許文献１】特開２００５−１１０６６号公報
【特許文献２】特開２００１−３３１２９２号公報
【特許文献３】特開２０１０−２０６６１７号公報
【発明の概要】
【発明が解決しようとする課題】
【０００９】
特許文献３に開示されたようなシステムにおいても、複数の画像形成装置（電子写真方式の画像形成装置及び昇華型方式の画像形成装置）を備えるので、特許文献１及び２に開示された技術を適用して、自動的に適切な画像形成装置で印刷するようにすれば、ユーザの操作負担を低減することができると考えられる。しかし、小規模店舗においては、それだけでは十分ではない。速やかにユーザに印刷物を提供できることに加えて、近年の省エネルギーの気運の高まりに応え、店舗の電力費用を軽減するためには、画像形成装置による電力消費をより少なくすることが求められる。コンビニエンスストア等は特に、このような、相反する要求に同時に応える必要に迫られている。
【００１０】
したがって、本発明は、ユーザの利便性を低下させずに、電力消費を低減することができる画像形成システムを提供することを目的とする。
【課題を解決するための手段】
【００１１】
上記の目的は、下記によって達成することができる。
【００１２】
即ち、本発明に係る画像形成システムは、記録紙に画像を形成する第１の画像形成部及び第２の画像形成部と、第１の画像形成部及び第２の画像形成部を制御する制御部と、ユーザの指示を受付ける入力部とを備え、制御部は、第１の画像形成部及び第２の画像形成部を省電力状態に遷移させた状態で、入力部が、記録紙に画像を形成する指示である画像形成指示を受付けたことに応じて、第１の画像形成部及び第２の画像形成部を省電力状態から通常の電力消費状態に復帰させ、入力部が、画像形成指示を受付けた後、画像形成に関する条件の指示を受付けたことに応じて、制御部は、第１の画像形成部及び第２の画像形成部のうち、条件の指示にしたがって実行される画像形成において使用されない画像形成部を省電力状態に遷移させる。
【００１３】
好ましくは、制御部は、画面を表示する表示部と、表示部に表示された画面に対するユーザの操作を検出する検出部とを備え、制御部は、複数の画面を表示部に順次表示して、検出部によりユーザの操作を検出することにより、条件の指示を受付け、制御部は、第１の画像形成部及び第２の画像形成部のうち、画像形成において使用されない画像形成部を特定した時点で、特定された当該画像形成部を省電力状態に遷移させる。
【００１４】
より好ましくは、画像形成システムは、第１の画像形成部及び第２の画像形成部による画像形成に使用する画像データを提供する提供部をさらに備え、制御部は、提供部の電力消費状態を制御し、制御部は、提供部を省電力状態に遷移させた状態で、入力部が画像形成指示を受付けたことに応じて、提供部を省電力状態から通常の電力消費状態に復帰させ、入力部が、画像形成指示を受付けた後、条件の指示を受付けたことに応じて、制御部は、条件の指示にしたがう画像形成における提供部の必要性に応じて、提供部を通常の電力消費状態に維持する処理と、提供部を省電力状態に遷移させる処理とを選択的に実行する。
【００１５】
さらに好ましくは、提供部は、原稿を読取って画像データを生成する原稿読取部、又は、画像データを記憶した記憶媒体から画像データを読出す読出部である。
【００１６】
好ましくは、画像形成システムはＩＣカードリーダをさらに備え、制御部は、ＩＣカードリーダの電力消費状態を制御し、制御部は、ＩＣカードリーダを省電力状態に遷移させた状態で、入力部が画像形成指示を受付けたことに応じて、ＩＣカードリーダを省電力状態から通常の電力消費状態に復帰させ、入力部が、画像形成指示を受付けた後、条件の指示を受付けたことに応じて、制御部は、条件の指示にしたがう画像形成におけるＩＣカードリーダの必要性に応じて、ＩＣカードリーダを通常の電力消費状態に維持する処理と、ＩＣカードリーダを省電力状態に遷移させる処理とを選択的に実行する。
【００１７】
より好ましくは、第１の画像形成部及び第２の画像形成部は、画像形成において相互に異なるサイズの記録紙を使用し、入力部が、画像形成指示を受付けた後、条件の指示を受付けたことに応じて、制御部は、条件の指示によりサイズを特定し、第１の画像形成部及び第２の画像形成部のうち、特定されたサイズの記録紙を使用しない画像形成部を省電力状態に遷移させる。
【発明の効果】
【００１８】
本発明によれば、ユーザが画像形成システムに対して利用する指示を入力した場合、全ての機能が実行可能な通常状態になるので、ユーザは利用したい機能を速やかに利用することができる。画像形成システムは、実行する機能が確定すると直ちに、利用されない機能に関する部分を省電力状態に移行させるので、消費電力を抑制することができる。したがって、ユーザの操作負担を低減することなく、速やかなサービス提供によるユーザビリティ改善と、省電力とを両立させることができる。
【図面の簡単な説明】
【００１９】
【図１】本発明の実施の形態に係る画像形成システムのネットワーク接続構成を示すブロック図である。
【図２】図１に示した画像形成装置及び拡張装置を示す正面図である。
【図３】図１に示した画像形成装置の内部構成を示すブロック図である。
【図４】図１に示した拡張装置の内部構成を示すブロック図である。
【図５】図１に示した画像形成システムにおいて実行される、サービスを提供する場合に電力消費を低減するプログラムの制御構成を示すフローチャートである。
【図６】図５に示したフローチャートにおいて選択されたサービスを実行するプログラムの制御構成を示すフローチャートである。
【図７】画像形成システムが省電力状態にある場合に画像形成装置の操作部に表示される画面を示す図である。
【図８】画像形成システムが提供するサービスの選択を受付けるための、画像形成装置の操作部に表示される画面を示す図である。
【図９】写真プリントの種類の選択を受付けるための、画像形成装置の操作部に表示される画面を示す図である。
【図１０】コピーサービスが選択された場合に画像形成装置の操作部に表示される画面を示す図である。
【発明を実施するための形態】
【００２０】
以下の実施の形態では、同一の部品には同一の参照番号を付してある。それらの名称及び機能も同一である。したがって、それらについての詳細な説明は繰返さない。
【００２１】
図１を参照して、本発明の実施の形態に係る画像形成システムは、画像形成装置１００及び拡張装置２００を備えている。画像形成装置１００、拡張装置２００及びルータ３００は、ＬＡＮ等のネットワーク３１０に接続されている。ルータ３００は、ネットワーク３１０を介して行なわれる通信を管理する。ルータ３００はインターネット３１２にも接続されている。インターネット３１２には、サーバコンピュータ３２０が接続されている。このような構成により、画像形成装置１００及び拡張装置２００は、ネットワーク３１０を介して相互に通信することができる。また、画像形成装置１００及び拡張装置２００は、ルータ３００及びインターネット３１２を介してサーバコンピュータ３２０にアクセスすることができる。さらに、画像形成装置１００及び拡張装置２００は、相互に電気的に接続されており、特定のデータを、ネットワーク３１０を介さずに直接交換することができる。サーバコンピュータ３２０は、地方自治体により管理され、住民基本台帳ネットワークシステムを構成する。サーバコンピュータ３２０は、住民基本台帳の情報を管理し、オンラインで住民票等を交付するサービスを実行する。
【００２２】
図２を参照して、画像形成装置１００及び拡張装置２００は隣接して設置されている。画像形成装置１００は、コピー機能、プリンタ機能、及びスキャナ機能等の複数の機能を備えたデジタル複合機である。拡張装置２００も、プリンタ機能を備えている。図３及び図４を参照して、画像形成装置１００及び拡張装置２００の構成を説明する。画像形成装置１００及び拡張装置２００には、類似する構成要素を含んでいるので、それらを区別するために便宜上「第１」及び「第２」を付した用語を使用する。
【００２３】
図３を参照して、画像形成装置１００は、第１制御部１０２、第１記憶部１０４、原稿読取部１０６、第１画像形成部１０８、第１電源部１１０、操作部１１２、第１シリアルＩ／Ｆ部１２０、及び第１ネットワークＩ／Ｆ部１２２を備えている。さらに、画像形成装置１００は、これらが接続される第１バス１２４を備えている。各部間のデータ（制御情報を含む）交換は、第１バス１２４を介して行なわれる。
【００２４】
第１制御部１０２は、例えば、ＣＰＵ（Ｃｅｎｔｒａｌ  Ｐｒｏｃｅｓｓｉｎｇ  Ｕｎｉｔ）である。第１記憶部１０４は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＨＤＤ（Ｈａｒｄ  Ｄｉｓｋ  Ｄｒｉｖｅ）等の記憶装置を含む。ＲＯＭは、不揮発性記憶装置であり、画像形成装置１００の動作を制御するのに必要なプログラム及びデータを記憶している。ＨＤＤは、書換可能な不揮発性記憶装置であり、画像データ等を記憶する。ＲＡＭは、書換可能な揮発性記憶装置である。第１制御部１０２は、ＲＯＭ及びＨＤＤから、所定のプログラム及び所定のデータをＲＡＭに読出して、ＲＡＭの一部を作業エリアとして利用してプログラムを実行する。画像データに対する画像処理等もＲＡＭ上で実行される。第１制御部１０２は、ＲＯＭに記憶されたプログラムにしたがって、画像形成装置１００全体を制御し、画像形成装置１００の各機能（コピー機能、プリンタ機能、及びスキャナ機能等）を実現する。
【００２５】
原稿読取部１０６は、原稿を読取るためのＣＣＤ（Ｃｈａｒｇｅ  Ｃｏｕｐｌｅｄ  Ｄｅｖｉｃｅ：電荷結合素子）と、原稿台、自動原稿送り装置（ＡＤＦ）等にセットされた原稿を検知する原稿検知センサとを備え、原稿を読取って画像データを入力する。画像データは、例えば第１記憶部１０４のＲＡＭに一時的に記憶される。
【００２６】
第１画像形成部１０８は、読取った画像データに対して種々の画像処理が実行されて生成された画像データを、画像形成装置１００内部の第１給紙部（図示せず）から供給される記録紙に印刷する。第１給紙部には、例えばＢ５、Ｂ４、Ａ４及びＡ３の記録紙（以下「Ｂ５〜Ａ３サイズの記録紙」ともいう）が保持されている。
【００２７】
第１電源部１１０は、第１制御部１０２の制御を受けて、画像形成装置１００の各部に必要な電力を供給する。後述する省電力状態においては、第１電源部１１０は、所定の部分にのみ電力を供給し、それ以外の部分への電力供給を停止する。
【００２８】
操作部１１２は、液晶パネル等で構成された表示パネル１１６と、表示パネル１１６の上に配置され、タッチされた位置を検出するタッチパネル１１８とを備えている。操作部１１２は、ハードウェアキーとして、電源をオン／オフするための電源キー、画像形成装置１００を省電力状態に遷移させる、又は省電力状態から通常状態に復帰させるための節電キー、及び、電源オンの場合に点灯するＬＥＤランプ等が配置されていてもよい。
【００２９】
操作部１１２は、ユーザによる画像形成装置１００に対する指示等の入力を受付ける。具体的には、表示パネル１１６に表示される画面（画像）は、第１制御部１０２の制御を受けて画面生成部（図示せず）によって生成される。ユーザは、表示パネル１１６に表示される画面によって、画像形成装置１００の状態及びジョブの処理状況等の確認を行なう。ユーザは、表示パネル１１６にアイコン等の形式で表示されたキーを、表示パネル１１６に重ねられたタッチパネル１１８上で選択する（タッチパネル１１８上の該当部分にタッチする）ことによって、画像形成装置１００の機能設定及び動作指示等を行なうことができる。
【００３０】
第１制御部１０２は、操作部１１２に設けられたタッチパネル１１８及びハードウェアキーに対するユーザの操作を監視すると共に、画面生成部を制御して、表示パネル１１６に画像形成装置１００の状態に関する情報等の、ユーザに通知すべき情報等を表示する。操作部１１２は、さらに第１ビデオＩ／Ｆ部１１４を備えている。第１ビデオＩ／Ｆ部１１４は、拡張装置２００から所定のケーブルを介して送信されるデータを受信し、受信したデータに基づき、表示パネル１１６に画面を表示する。表示される画面には、画像形成装置１００の画面生成部で生成された画面と同様に、アイコン等の形式で表示されたキーが含まれている。第１シリアルＩ／Ｆ部１２０は、第１制御部１０２の制御を受けて、タッチパネル１１８の操作に関するデータ（タッチされた位置を表す位置データ）を、所定のケーブルを介して拡張装置２００にシリアル伝送する。
【００３１】
第１ネットワークＩ／Ｆ部１２２は、ネットワーク３１０に接続され、画像形成装置１００がネットワーク３１０を介して外部装置と通信するためのインターフェイスである。第１ネットワークＩ／Ｆ部１２２は、例えばＮＩＣ（Ｎｅｔｗｏｒｋ  Ｉｎｔｅｒｆａｃｅ  Ｃａｒｄ）である。
【００３２】
図４を参照して、拡張装置２００は、第２制御部２０２、第２記憶部２０４、メディアリーダ部２０６、ＩＣカードリーダ２０８、第２画像形成部２１０、第２電源部２１２、描画部２１４、第２ビデオＩ／Ｆ部２１６、第２シリアルＩ／Ｆ部２１８、及び第２ネットワークＩ／Ｆ部２２０を備えている。さらに、拡張装置２００は、これらが接続される第２バス２２２を備えている。各部間のデータ（制御情報を含む）交換は、第２バス２２２を介して行なわれる。
【００３３】
第２制御部２０２は、例えばＣＰＵである。第２記憶部２０４は、第１記憶部１０４と同様にＲＯＭ、ＲＡＭ、及びＨＤＤ等の記憶装置を含む。ＲＯＭは、拡張装置２００の動作を制御するのに必要なプログラム及びデータを記憶している。第２制御部２０２は、ＲＯＭ及びＨＤＤから、所定のプログラム及び所定のデータをＲＡＭに読出して、ＲＡＭの一部を作業エリアとして利用してプログラムを実行する。画像データに対する画像処理等もＲＡＭ上で実行される。第２制御部２０２は、ＲＯＭに記憶されたプログラムにしたがって、拡張装置２００全体を制御し、拡張装置２００の各機能を実現する。
【００３４】
メディアリーダ部２０６は、光ディスクを装着するためのドライブ、及び可搬性メモリを装着するためのソケットを備えている。装着された光ディスク又は可搬性メモリに対してデータの読出し及び書込みを行なうことができる。光ディスクには、ＣＤ−Ｒディスク及びＤＶＤ−ＲＡＭディスク等種々のものがある。可搬性メモリには、ＵＳＢメモリ及びフラッシュメモリカード（ＳＤメモリカード、メモリースティック、及びコンパクトフラッシュ（登録商標）等）等種々のものがある。光ディスク及び可搬性メモリは、それぞれ規格が異なるので、メディアリーダ部２０６が備えているドライブ及びソケットに対応する光ディスク及び可搬性メモリのみ使用することができる。以下において、光ディスク及び可搬性メモリを、包括的に「記憶媒体」ともいう。
【００３５】
ＩＣカードリーダ２０８は、第２制御部２０２の制御を受けて、例えば電磁波を使用して非接触でＩＣカードからデータを読出す。ＩＣカードは、例えば、住民票に記載された氏名及び住民票コード等が記録された住民基本台帳カード（以下「住基カード」という）である。
【００３６】
第２画像形成部２１０は、メディアリーダ部２０６から読取った画像データに対して種々の画像処理が実行されて生成された画像データを、拡張装置２００内部の第２給紙部（図示せず）から供給される記録紙に印刷する。第２画像形成部２１０は、例えば写真印刷に適した昇華型プリンタである。第２給紙部には、一般に写真プリントに使用されるサイズの記録紙として、例えばＬ判サイズ（８９×１２７ｍｍ）の記録紙が保持されている。
【００３７】
第２電源部２１２は、第２制御部２０２の制御を受けて、拡張装置２００の各部に必要な電力を供給する。後述する省電力状態においては、第２電源部２１２は、所定の部分にのみ電力を供給し、それ以外の部分への電力供給を停止する。
【００３８】
描画部２１４は、第２制御部２０２の制御を受けて、画像形成装置１００の表示パネル１１６に表示するための画面（画像）を生成する。生成される画面には、上記したように、アイコン等の形式で表示されるキーが含まれている。生成された画像データは、第２ビデオＩ／Ｆ部２１６によって所定の形式の信号に変換され、画像形成装置１００の第１ビデオＩ／Ｆ部１１４に、所定のケーブルを介して送信される。
【００３９】
第２シリアルＩ／Ｆ部２１８は、第２制御部２０２の制御を受けて、画像形成装置１００の第１シリアルＩ／Ｆ部１２０から所定のケーブルを介して送信されるデータを受信する。受信するデータは、上記したように、画像形成装置１００のタッチパネル１１８のタッチされた位置を表す位置データである。
【００４０】
第２ネットワークＩ／Ｆ部２２０は、ネットワーク３１０に接続され、拡張装置２００がネットワーク３１０を介して外部装置と通信するためのインターフェイスである。第２ネットワークＩ／Ｆ部２２０は、例えばＮＩＣである。
【００４１】
以下、画像形成装置１００が搭載している機能（コピー機能、プリンタ機能、及びスキャナ機能）を実行する各モードについて簡単に説明する。
【００４２】
（コピーモード）
画像形成装置１００を複写機として利用する場合には、原稿読取部１０６によって読取られた原稿の画像データが、第１画像形成部１０８から複写物として出力される。
【００４３】
原稿読取部１０６に装備されたＣＣＤにより、読取位置にセットされた原稿の画像を電子的に読取ることができる。読取られた画像データは、第１記憶部１０４のＲＡＭ上に出力データ（印刷用データ）として完成された後、画像形成のタイミングに合わせて、画像データは第１画像形成部１０８へと送信される。
【００４４】
記録紙は、第１給紙部からピックアップローラによって引き出され、複数の搬送用ローラによって、第１画像形成部１０８まで搬送される。第１画像形成部１０８では、帯電された感光体ドラムを入力された画像データに応じて露光することにより、感光体ドラムの表面に、画像データに応じた静電潜像を形成する。感光体ドラム上の静電潜像部分にトナーを付着させた後、トナーによる画像を、転写ベルトを介して、搬送された記録紙に転写させる。その後、記録紙は加熱及び加圧され（これにより記録紙に画像が定着する）、排紙トレイ１４０（図２参照）に排出される。
【００４５】
（プリンタモード）
画像形成装置１００をプリンタとして利用する場合には、第１ネットワークＩ／Ｆ部１２２を介して、拡張装置２００から受信した画像データが第１記憶部１０４のＲＡＭ等を介して第１画像形成部１０８から出力される。後述するように、拡張装置２００はユーザの指示を受けて、メディアリーダ部２０６に装着された記憶媒体から所定の画像データを読出し、読出した画像データを、第２ネットワークＩ／Ｆ部２２０及びネットワーク３１０を介して画像形成装置１００に送信する。
【００４６】
画像形成装置１００は、拡張装置２００から送信される画像データを、第１ネットワークＩ／Ｆ部１２２を介して受信する。受信された画像データは、出力画像データとしてページ単位に第１記憶部１０４のＲＡＭ上に形成された後、上記したコピーモードと同様に第１画像形成部１０８へと送信され、画像形成が行なわれる。
【００４７】
（スキャナモード）
画像形成装置１００を、例えばネットワークスキャナとして利用する場合には、原稿読取部１０６において読取られた原稿の画像データを、第１ネットワークＩ／Ｆ部１２２及びネットワーク３１０を介して拡張装置２００へ送信する。この場合にも、原稿読取部１０６に装備されたＣＣＤにより原稿を電子的に読取る。
【００４８】
拡張装置２００は、画像形成装置１００から送信される画像データを、第２ネットワークＩ／Ｆ部２２０を介して受信する。後述するように、受信された画像データは、メディアリーダ部２０６に装着され、ユーザによって指定された記憶媒体に記憶される。
【００４９】
以下、図５及び図６を参照して、画像形成システムがサービスを提供する場合に電力消費を低減するプログラムの制御構造に関して具体的に説明する。以下において、通常状態とは、画像形成装置１００及び拡張装置２００の各部は全て、それぞれ第１電源部１１０及び第２電源部２１２よって電力が供給されている状態を意味する。省電力状態とは、第１制御部１０２、操作部１１２、及び第１シリアルＩ／Ｆ部１２０に第１電源部１１０から電力が供給され、第２制御部２０２及び第２シリアルＩ／Ｆ部２１８に第２電源部２１２から電力が供給され、それら以外の部分には電力供給が停止されている状態を意味する。通常状態を通常モードともいい、省電力状態を、省電力モード又は省エネモードともいう。
【００５０】
画像形成装置１００及び拡張装置２００の電源がオンされたとき、ステップ５００において、第２制御部２０２は、拡張装置２００のウォームアップを実行した後、第２電源部２１２を制御して拡張装置２００を省電力状態に遷移させる。また、第１制御部１０２は、画像形成装置１００のウォームアップを実行した後、第１電源部１１０を制御して画像形成装置１００を省電力状態に遷移させる。
【００５１】
ステップ５０２において、第２制御部２０２は、描画部２１４を制御して、画像形成システムが省電力状態であることを示す画面を生成して、画像形成装置１００の表示パネル１１６に表示する。具体的には、第２制御部２０２は、描画部２１４によって生成された画像データを、上記したように、第２ビデオＩ／Ｆ部２１６から第１ビデオＩ／Ｆ部１１４に送信する。これによって、表示パネル１１６に、例えば図７に示す省エネ待機画面７００が表示される。図７の省エネ待機画面７００には、画像形成システムが省エネモードになっていることを示すメッセージ７０２、及び、サービス開始キー７０４が表示されている。
【００５２】
ステップ５０４において、第２制御部２０２は、表示パネル１１６に表示されたサービス開始キー７０４がタッチされたか否かを判定する。具体的には、第２制御部２０２は、第２シリアルＩ／Ｆ部２１８を介して、データ（タッチパネル１１８のタッチされた位置を表す位置データ）を受信したか否かを判定し、受信した場合、受信した位置データが、省エネ待機画面７００上のサービス開始キー７０４の領域に含まれるか否かを判定する。これにより、第２制御部２０２は、サービス開始キー７０４がタッチされたか否かを判定する。サービス開始キー７０４がタッチされたと判定された場合、制御はステップ５０６に移行する。そうでなければ、ステップ５０４が繰返される。
【００５３】
ステップ５０６において、第２制御部２０２は、第２電源部２１２を制御して、拡張装置２００を通常状態に復帰させる。また、第２制御部２０２は、第２シリアルＩ／Ｆ部２１８を介して、第１制御部１０２に所定のコード（以下「復帰コード」という）を送信する。第１シリアルＩ／Ｆ部１２０を介して、復帰コードを受信した第１制御部１０２は、第１電源部１１０を制御して、画像形成装置１００を通常状態に復帰させる。
【００５４】
ステップ５０８において、第２制御部２０２は、描画部２１４を制御して、サービス選択画面を生成して、画像形成装置１００の表示パネル１１６に表示する。具体的には、第２制御部２０２は、描画部２１４によって生成された画像データを、上記したように、第２ビデオＩ／Ｆ部２１６から第１ビデオＩ／Ｆ部１１４に送信する。これによって、表示パネル１１６に、例えば図８に示すサービス選択画面７２０が表示される。図８のサービス選択画面７２０には、ユーザにサービスの選択が可能であることを示すメッセージ７２２、及び、４つのサービスを選択するためのキー（コピーキー７２４、スキャンキー７２６、写真プリントキー７２８、及び住民票プリントキー７３０）が表示されている。これらのキーによって、画像形成装置１００は上記したコピーモード、プリンタモード、又はスキャナモードで動作する。なお、写真プリントキー７２８がタッチされた場合には、後述するように拡張装置２００においてプリントが実行される場合もある。
【００５５】
第２制御部２０２は、サービス選択画面７２０を画像形成装置１００に送信した後、内部のタイマ（図示せず）から現在時刻の情報（以下、単に現在時刻ともいう）を取得し、例えば第２記憶部２０４のＲＡＭに記憶する。
【００５６】
ステップ５１０において、第２制御部２０２は、コピーキー７２４がタッチされたか否かを判定する。具体的には、第２シリアルＩ／Ｆ部２１８を介して、データ（タッチパネル１１８の位置データ）を受信し、且つ、受信した位置データが、サービス選択画面７２０上のコピーキー７２４の領域に含まれるか否かを判定する。これにより、第２制御部２０２は、コピーキー７２４がタッチされたか否かを判定する。コピーキー７２４がタッチされたと判定された場合、制御はステップ６００（図６参照）に移行する。そうでなければ、制御はステップ５１２に移行する。
【００５７】
ステップ５１２において、第２制御部２０２は、ステップ５１０と同様にして、スキャンキー７２６がタッチされたか否かを判定する。スキャンキー２７６がタッチされたと判定された場合、制御はステップ６２０（図６参照）に移行する。そうでなければ、制御はステップ５１４に移行する。
【００５８】
ステップ５１４において、第２制御部２０２は、ステップ５１０と同様にして、写真プリントキー７２８がタッチされたか否かを判定する。写真プリントキー７２８がタッチされたと判定された場合、制御はステップ５１６に移行する。そうでなければ、制御はステップ５２４に移行する。
【００５９】
ステップ５１６において、第２制御部２０２は、写真プリントの種類を選択するための画面を表示する。第２制御部２０２は、描画部２１４を制御して、プリント種類選択画面を生成して、画像形成装置１００の表示パネル１１６に表示する。具体的には、第２制御部２０２は、描画部２１４によって生成された画像データを、上記したように、第２ビデオＩ／Ｆ部２１６から第１ビデオＩ／Ｆ部１１４に送信する。これによって、表示パネル１１６に、例えば図９に示すプリント種類選択画面７４０が表示される。図９のプリント種類選択画面７４０には、ユーザに写真プリントの種類の選択が可能であることを示すメッセージ７４２、及び、２つのサービスを選択するためのキーが表示されている。即ち、Ｌ判サイズの記録紙にプリントすること（以下「Ｌ判プリント処理」という）を指示するキー（以下「Ｌ判プリントキー」という）７４４、及び、Ｂ５〜Ａ３サイズの記録紙にプリントする（以下「Ｂ５〜Ａ３プリント処理」という）ことを指示するキー（以下「Ｂ５〜Ａ３プリントキー」という）７４６が表示されている。第２制御部２０２は、プリント種類選択画面７４０を画像形成装置１００に送信した後、内部のタイマから現在時刻情報を取得し、例えば第２記憶部２０４のＲＡＭ（ステップ５０８で時刻を記憶した領域とは別の領域）に記憶する。
【００６０】
ステップ５１８において、第２制御部２０２は、Ｌ判プリントキー７４４がタッチされたか否かを判定する。具体的には、第２制御部２０２は、第２シリアルＩ／Ｆ部２１８を介して、データ（タッチパネル１１８の位置データ）を受信し、且つ、受信した位置データが、プリント種類選択画面７４０上のＬ判プリントキー７４４の領域に含まれるか否かを判定する。これにより、Ｌ判プリントキー７４４がタッチされたか否かを判定する。Ｌ判プリントキー７４４がタッチされたと判定された場合、制御はステップ６４０（図６参照）に移行する。そうでなければ、制御はステップ５２０に移行する。
【００６１】
ステップ５２０において、第２制御部２０２は、ステップ５１８と同様にして、Ｂ５〜Ａ３プリントキー７４６がタッチされたか否かを判定する。Ｂ５〜Ａ３プリントキー７４６がタッチされたと判定された場合、制御はステップ６６０（図６参照）に移行する。そうでなければ、制御はステップ５２２に移行する。
【００６２】
ステップ５２２において、第２制御部２０２は、プリント種類選択画面７４０を表示してから、予め設定された所定時間が経過したか否かを判定する。具体的には、第２制御部２０２は、内部のタイマから現在時刻を取得し、ステップ５１６で第２記憶部２０４のＲＡＭに記憶した時刻情報との差が、所定時間以上であるか否かを判定する。
【００６３】
所定時間が経過していないと判定された場合、制御はステップ５１８に戻る。そうでなければ、制御はステップ５００に戻る。これによって、写真プリントキー７２８がタッチされてプリント種類選択画面７４０が表示されたが、その後有効なキーがタッチされないまま所定時間が経過した場合、ステップ５００の処理により画像形成システムが省電力状態になるので、不要な電力消費が生じない。
【００６４】
ステップ５２４において、第２制御部２０２は、ステップ５１０と同様にして、住民票プリントキー７３０がタッチされたか否かを判定する。住民票プリントキー７３０がタッチされたと判定された場合、制御はステップ６８０（図６参照）に移行する。そうでなければ、制御はステップ５２６に移行する。
【００６５】
ステップ５２６において、第２制御部２０２は、サービス選択画面７２０を表示してから、予め設定された所定時間が経過したか否かを判定する。具体的には、第２制御部２０２は、内部のタイマから現在時刻を取得し、ステップ５０８で第２記憶部２０４に記憶した時刻情報との差が、所定時間以上であるか否かを判定する。
【００６６】
所定時間が経過していないと判定された場合、制御はステップ５１０に戻る。そうでなければ、制御はステップ５００に戻る。これによって、サービス開始キー７０４がタッチされてサービス選択画面７２０が表示されたが、その後有効なキーがタッチされないまま所定時間が経過した場合、ステップ５００の処理により画像形成システムが省電力状態になるので、不要な電力消費が生じない。
【００６７】
上記のステップ５００〜５２６によって、ユーザは、画像形成システムに実行させる機能を選択することができる。選択された機能の実行に関して以下に説明する。
【００６８】
ステップ５１０においてコピーキー７２４がタッチされたと判定された場合、ステップ６００において、第２制御部２０２は、コピーが選択されたことを画像形成装置１００に知らせ、第２電源部２１２を制御して、拡張装置２００のコピー処理に関係しない構成要素への電力供給を停止する。コピーが選択されたことを画像形成装置１００に知らせるには、第２制御部２０２は、例えば第２シリアルＩ／Ｆ部２１８を介して、第１制御部１０２に所定のコード（以下「コピーコード」という）を送信する。第１シリアルＩ／Ｆ部１２０を介してコピーコードを受信した第１制御部１０２は、第１電源部１１０を制御して、コピーに関係しない構成要素への電力供給を停止する。
【００６９】
具体的には、拡張装置２００では、第２画像形成部２１０（昇華型プリンタ）、メディアリーダ部２０６、及びＩＣカードリーダ２０８等への電力供給を停止する。これによって、消費電力が大きい第２画像形成部２１０の、固形インクを塗布したインクリボンを加熱するヒータへの通電が停止する。画像形成装置１００では、第１ネットワークＩ／Ｆ部１２２への電力供給を停止する。
【００７０】
ステップ６０２において、第１制御部１０２は、表示パネル１１６にコピーモードに関する条件を設定するための画面を表示する。例えば、図１０に示すコピーモード設定画面８００が、表示パネル１１６に表示される。
【００７１】
図１０を参照して、コピーモード設定画面８００の左上隅には、コピーモードであることを示す文字「コピー」が表示されている。画面の右上隅にはジョブ状況を表示する領域８０６が表示されている。
【００７２】
コピーモード設定画面８００の機能選択領域８０２には、コピーモードに関する各種機能及びパラメータ等の条件の設定変更を行なうための設定キーが表示される。図１０では、機能選択領域８０２の上から順に、原稿データをカラー及びモノクロの何れで表示するかを設定するためのキー、原稿サイズを変更するためのキー、原稿データの濃度を調整するためのキー、原稿データの倍率を設定するためのキー、印刷用紙（記録紙）のサイズ及び種類を設定するためのキー、印刷用紙に対する印刷面を設定するためのキー、印刷結果のステープル処理に関する設定を行なうためのキーが表示されている。機能選択領域８０２の最下部には、機能選択領域８０２に表示されている機能とは異なる他の特別機能の表示を要求するための「他の機能」キー等が表示されている。ユーザによってこれらキーの何れかがタッチされた場合、表示パネル１１６に、タッチされたキーに対応する設定画面（例えば、濃度設定画面、画質設定画面、及び原稿設定画面等）が表示される。
【００７３】
コピーモード設定画面８００の中央には、コピー部数を設定するための数値入力領域８０４が表示されている。数値入力領域８０４は、キー領域及び部数表示領域から構成される。キー領域は、“０”〜“９”の数値キー（テンキー）及びクリアキー（Ｃキー）を含む。部数表示領域は、文字「部数」の右側の四角で囲まれた領域であり、ユーザによって入力されたコピー部数が表示される。図１０は、コピー部数として１部が入力された状態である。なお、後述するプレビューキー８１６がタッチされた場合、数値入力領域８０４には、原稿がスキャンされて得られた画像データのプレビュー画像が表示される。
【００７４】
アクションパネル領域８０８には、操作についての補助、助言及び提案等についての情報が表示される。アクションパネル領域８０８には、例えば、特定の機能が選択されると、その機能に関連する機能が表示されてもよい。
【００７５】
タスクトリガー領域８１０には、白黒スタートキー８１２、カラースタートキー８１４、プレビューキー８１６、及びリセットキー８１８が表示されている。白黒スタートキー８１２及びカラースタートキー８１４は、原稿をスキャンして、それぞれ白黒印刷及びカラー印刷を開始させるためのキーである。プレビューキー８１６は、原稿のスキャンを実行させるためのキーである。プレビューキー８１６がタッチされた場合、原稿がスキャンされ、スキャンデータに基づくプレビュー画像が生成されて画面の中央（数値入力領域８０４を含む領域）に表示される。リセットキー８１８は、設定変更された機能及びパラメータ等を全てキャンセルし、設定をデフォルト状態へ戻すためのキーである。
【００７６】
ステップ６０４において、第１制御部１０２は、タッチパネル１１８へのタッチ操作を検出し、タッチ位置に該当する、表示されている画面上のキーを特定し、該当する処理（さらなる設定画面の表示を含む）を実行する。これによって、第１制御部１０２は、コピーに関する条件の設定を受付ける。
【００７７】
ステップ６０６において、第１制御部１０２は、タスクトリガー領域８１０の白黒スタートキー８１２又はカラースタートキー８１４がタッチされたか否かを判定する。タッチされたと判定された場合、制御はステップ６０８に移行する。そうでなければ、制御はステップ６０４に戻る。
【００７８】
ステップ６０８において、第１制御部１０２は、設定された条件にしたがってコピー処理を実行する。即ち、第１制御部１０２は、原稿読取部１０６を制御して原稿をスキャンし、得られた画像データを処理し、記録紙上に画像を形成して排紙トレイ１４０に排出する。その後、制御はステップ５００に戻る。
【００７９】
ステップ５１２においてスキャンキー２７６がタッチされたと判定された場合、ステップ６２０において、第２制御部２０２は、スキャンが選択されたことを画像形成装置１００に知らせ、第２電源部２１２を制御して、拡張装置２００のスキャンに関係しない構成要素への電力供給を停止する。スキャンが選択されたことを画像形成装置１００に知らせるには、第２制御部２０２は、例えば第２シリアルＩ／Ｆ部２１８を介して、第１制御部１０２に所定のコード（以下「スキャンコード」という）を送信する。第１シリアルＩ／Ｆ部１２０を介してスキャンコードを受信した第１制御部１０２は、第１電源部１１０を制御して、スキャン処理に関係しない構成要素への電力供給を停止する。
【００８０】
具体的には、拡張装置２００では、第２画像形成部２１０、及びＩＣカードリー等への電力供給を停止する。画像形成装置１００では、第１画像形成部１０８への電力供給を停止する。これによって、消費電力が大きい第１画像形成部１０８の定着用ヒータ及び第２画像形成部２１０のヒータへの通電が停止する。
【００８１】
ステップ６２２において、第１制御部１０２は、スキャンモードに関する条件を設定し、且つ、スキャンした画像を記憶させる記憶媒体を指定するための画面を、表示パネル１１６に表示する。スキャンモードの設定としては、白黒スキャン、カラースキャン、スキャン解像度、スキャン領域等があり、これらを設定するための画面が表示パネル１１６に表示される。
【００８２】
記憶媒体の指定は、例えば、メディアリーダ部２０６に装着されている記憶媒体のリストを表示パネル１１６に表示し、その中から選択することで行なうことができる。記憶媒体のリストを表示する画面は、例えば第１制御部１０２が生成することができる。第２制御部２０２が、メディアリーダ部２０６を制御して装着されている記憶媒体を検出し、検出された記憶媒体を表す情報を、第２シリアルＩ／Ｆ部２１８を介して、第１制御部１０２に送信すれば、第１制御部１０２は受信した情報を基に、記憶媒体のリストを表示する画面を生成することができる。なお、記憶媒体のリストを表示する画面は、第２制御部２０２が描画部２１４に生成させ、上記したように第２ビデオＩ／Ｆ部２１６を介して、画像形成装置１００に送信してもよい。その場合、第２制御部２０２は、記憶媒体のリストを表示する画面上の選択領域を特定するための位置情報も第１制御部１０２に送信する。
【００８３】
ステップ６２４において、第１制御部１０２は、タッチパネル１１８へのタッチ操作を検出し、タッチ位置に該当する、表示されている画面上のキーを特定し、該当する処理（さらなる設定画面の表示を含む）を実行する。これによって、第１制御部１０２は、スキャンに関する設定、及びスキャンした画像を記憶させる記憶媒体の指定を受付ける。
【００８４】
ステップ６２６において、第１制御部１０２は、スキャンを開始させるスタートキーがタッチされたか否かを判定する。タッチされたと判定された場合、制御はステップ６２８に移行する。そうでなければ、制御はステップ６２４に戻る。
【００８５】
ステップ６２８において、第１制御部１０２は、設定された条件にしたがってスキャン処理を実行し、得られた画像データを拡張装置２００に送信する。即ち、第１制御部１０２は、原稿読取部１０６を制御して原稿をスキャンし、得られた画像データと記憶媒体を特定する情報とを、第１ネットワークＩ／Ｆ部１２２を介して拡張装置２００に送信する。画像形成装置１００からデータを受信した拡張装置２００（第２制御部２０２）は、メディアリーダ部２０６に装着された記憶媒体のうち、記憶媒体を特定する情報によって特定される記憶媒体に、受信した画像データを、所定の名前を付加した画像ファイルとして記憶する。その後、制御はステップ５００に戻る。
【００８６】
ステップ５１８においてＬ判プリントキー７４４がタッチされたと判定された場合、ステップ６４０において、第２制御部２０２は、Ｌ判プリント処理が選択されたことを画像形成装置１００に知らせ、第２電源部２１２を制御して、拡張装置２００のＬ判プリント処理に関係しない構成要素への電力供給を停止する。Ｌ判プリント処理が選択されたことを画像形成装置１００に知らせるには、第２制御部２０２は、例えば第２シリアルＩ／Ｆ部２１８を介して、第１制御部１０２に所定のコード（以下「Ｌ判プリントコード」という）を送信する。第１シリアルＩ／Ｆ部１２０を介してＬ判プリントコードを受信した第１制御部１０２は、第１電源部１１０を制御して、Ｌ判プリント処理に関係しない構成要素への電力供給を停止する。
【００８７】
具体的には、拡張装置２００では、ＩＣカードリーダ２０８、及び第２ネットワークＩ／Ｆ部２２０への電力供給を停止する。画像形成装置１００では、第１画像形成部１０８、原稿読取部１０６、及び第２ネットワークＩ／Ｆ部２２０等への電力供給を停止する。これによって、消費電力が大きい第１画像形成部１０８の定着用ヒータへの通電が停止する。
【００８８】
ステップ６４２において、第２制御部２０２は、画像形成装置１００の表示パネル１１６に、プリントする画像データを記憶している記憶媒体を指定し、その記憶媒体に記憶された画像のうち、プリントする画像を指定し、且つ、Ｌ判プリント処理に関する条件を設定するための画面を表示する。記憶媒体の指定は、例えば、メディアリーダ部２０６に装着されている記憶媒体のリストを表示パネル１１６に表示し、その中から選択することで行なうことができる。記憶媒体のリストを表示する画面は、第２制御部２０２が生成する。第２制御部２０２は、メディアリーダ部２０６を制御して装着されている記憶媒体を検出し、検出された記憶媒体を表す情報を、描画部２１４に生成させ、上記したように、第２ビデオＩ／Ｆ部２１６を介して画像形成装置１００に送信する。
【００８９】
記憶媒体に記憶された画像のうち、プリントする画像を指定するための画面は、記憶媒体が指定された後に表示される。例えば、第２制御部２０２は、メディアリーダ部２０６を制御して、指定された記憶媒体から、記憶されている画像ファイルの情報を読出し、画像ファイルを示す情報（例えばファイル名）をリスト表示した画面を、描画部２１４に生成させ、上記したように第２ビデオＩ／Ｆ部２１６を介して、画像形成装置１００に送信する。
【００９０】
Ｌ判プリント処理に関する条件の設定としては、指定された画像中のプリントする長方形領域、プリント画像の解像度、及び、白黒又はカラープリントの指定等があり、これらを設定するための画面が表示パネル１１６に表示される。Ｌ判プリント処理は、Ｌ判サイズの記録紙全体に、指定された画像の指定領域を印刷する処理である。なお、これらの画面は、第１制御部１０２が、画面生成部に生成させ、表示パネル１１６に表示してもよい。その場合、第２制御部２０２は、第１制御部１０２に必要な情報を送信する。
【００９１】
ステップ６４４において、第２制御部２０２は、タッチパネル１１８へのタッチ操作を検出し、タッチ位置に該当する、表示されている画面上のキーを特定し、該当する処理（さらなる設定画面の表示を含む）を実行する。これによって、第２制御部２０２は、プリントする画像データを記憶している記憶媒体の指定、その記憶媒体に記憶された画像のうち、プリントする画像の指定、及び、Ｌ判プリント処理に関する条件の設定を受付ける。
【００９２】
ステップ６４６において、第２制御部２０２は、Ｌ判プリント処理を開始させるスタートキーがタッチされたか否かを判定する。スタートキーがタッチされたと判定された場合、制御はステップ６４８に移行する。そうでなければ、制御はステップ６４４に戻る。
【００９３】
ステップ６４８において、第２制御部２０２は、設定された条件にしたがってＬ判プリント処理を実行する。即ち、第２制御部２０２は、メディアリーダ部２０６を制御して、指定された記憶媒体から、指定された画像データを読出し、読出した画像データを処理し、Ｌ判サイズの記録紙の搬送機構を制御してＬ判の記録紙を第２画像形成部２１０に搬送し、Ｌ判の記録紙上に指定された条件で画像をプリントして写真排出部２４０に排出する。その後、制御はステップ５００に戻る。
【００９４】
ステップ５２０においてＢ５〜Ａ３プリントキー７４６がタッチされたと判定された場合、ステップ６６０において、第２制御部２０２は、Ｂ５〜Ａ３プリント処理が選択されたことを画像形成装置１００に知らせ、第２電源部２１２を制御して、拡張装置２００のＢ５〜Ａ３プリント処理に関係しない構成要素への電力供給を停止する。Ｂ５〜Ａ３プリント処理が選択されたことを画像形成装置１００に知らせるには、第２制御部２０２は、例えば第２シリアルＩ／Ｆ部２１８を介して、第１制御部１０２に所定のコード（以下「Ｂ５〜Ａ３プリントコード」という）を送信する。第１シリアルＩ／Ｆ部１２０を介してＢ５〜Ａ３プリントコードを受信した第１制御部１０２は、第１電源部１１０を制御して、Ｂ５〜Ａ３プリント処理に関係しない構成要素への電力供給を停止する。
【００９５】
具体的には、拡張装置２００では、第２画像形成部２１０及びＩＣカードリーダ２０８への電力供給を停止する。画像形成装置１００では、原稿読取部１０６への電力供給を停止する。これによって、消費電力が大きい第２画像形成部２１０のヒータへの通電が停止する。
【００９６】
ステップ６６２において、第２制御部２０２は、画像形成装置１００の表示パネル１１６に、プリントする画像データを記憶している記憶媒体を指定し、その記憶媒体に記憶された画像のうち、プリントする画像を指定し、且つ、Ｂ５〜Ａ３プリント処理に関する条件を設定するための画面を表示する。記憶媒体の指定、及び指定された記憶媒体中の画像の指定を行なうための画面は、Ｌ判プリント処理におけるステップ６４２と同様にして表示パネル１１６に表示することができるので、重複説明は繰返さない。
【００９７】
Ｂ５〜Ａ３プリント処理に関する条件の設定に関しては、第２制御部２０２が、例えば図１０と同様の画面を描画部２１４に生成させ、上記したように第２ビデオＩ／Ｆ部２１６を介して、画像形成装置１００に送信して、表示パネル１１６に表示させて行なうことができる。なお、これらの画面は、第１制御部１０２が生成してもよい。その場合、第２制御部２０２は、第１制御部１０２に必要な情報を送信する。
【００９８】
ステップ６６４において、第２制御部２０２は、タッチパネル１１８へのタッチ操作を検出し、タッチ位置に該当する、表示されている画面上のキーを特定し、該当する処理（さらなる設定画面の表示を含む）を実行する。これによって、第２制御部２０２は、プリントする画像データを記憶している記憶媒体の指定、その記憶媒体に記憶された画像のうち、プリントする画像の指定、及び、Ｂ５〜Ａ３プリント処理に関する条件の設定を受付ける。
【００９９】
ステップ６６６において、第２制御部２０２は、Ｂ５〜Ａ３プリント処理を開始させるスタートキーがタッチされたか否かを判定する。スタートキーがタッチされたと判定された場合、制御はステップ６６８に移行する。そうでなければ、制御はステップ６４４に戻る。
【０１００】
ステップ６６８において、第２制御部２０２は、設定された条件にしたがってＢ５〜Ａ３プリント処理を実行する。即ち、第２制御部２０２は、メディアリーダ部２０６を制御して、指定された記憶媒体から、指定された画像データを読出し、読出した画像データとＢ５〜Ａ３プリント処理に関する条件とを含むプリントジョブを、第２ネットワークＩ／Ｆ部２２０を介して画像形成装置１００に送信する。第１ネットワークＩ／Ｆ部１２２を介してプリントジョブを受信した第１制御部１０２は、指定された条件にしたがって受信した画像データを処理して、プリント用画像データを生成する。その後、第１制御部１０２は第１画像形成部１０８を制御して、プリント用画像データを用いて記録紙上に画像を形成する。その後、制御はステップ５００に戻る。
【０１０１】
ステップ５２６において住民票プリントキー７３０がタッチされたと判定された場合、ステップ６８０において、第２制御部２０２は、住民票プリント処理が選択されたことを画像形成装置１００に知らせ、第２電源部２１２を制御して、拡張装置２００の住民票プリント処理に関係しない構成要素への電力供給を停止する。住民票プリント処理が選択されたことを画像形成装置１００に知らせるには、第２制御部２０２は、例えば第２シリアルＩ／Ｆ部２１８を介して、第１制御部１０２に所定のコード（以下「住民票プリントコード」という）を送信する。第１シリアルＩ／Ｆ部１２０を介して住民票プリントコードを受信した第１制御部１０２は、第１電源部１１０を制御して、住民票プリント処理に関係しない構成要素への電力供給を停止する。
【０１０２】
具体的には、拡張装置２００では、第２画像形成部２１０及びメディアリーダ部２０６への電力供給を停止する。画像形成装置１００では、原稿読取部１０６への電力供給を停止する。これによって、消費電力が大きい第２画像形成部２１０のヒータへの通電が停止する。
【０１０３】
ステップ６８２において、第２制御部２０２は、住民票プリント処理に関する設定画面を表示する。住民票プリント処理は、地方自治体等が管理している住民票のコピーをオンラインで提供するサービスである。サービスを受けるためには、地方自治体等が住民に配布している住基カードが必要である。第２制御部２０２は、描画部２１４に、例えば「住民票コードを読取ります。住基カードをカードリーダにかざしてください。」というメッセージを含む画像データを生成させ、生成した画像データを第２ビデオＩ／Ｆ部２１６を介して画像形成装置１００に送信する。これによって、表示パネル１１６に、ユーザに住基カードを用いて住民票コードの入力を促すメッセージが表示される。
【０１０４】
ステップ６８４において、第２制御部２０２は、ＩＣカードリーダ２０８を介して住基カード（ＩＣカード）から住民票コードを受信した後、暗証番号の入力を受付ける画面、及びユーザが要求する住民票コピーの条件を指定する画面等を、表示パネル１１６に表示する。その状態で、第２制御部２０２は、タッチパネル１１８へのタッチ操作を検出し、タッチ位置に該当する、表示されている画面上のキーを特定し、該当する処理（さらなる設定画面の表示を含む）を実行する。暗証番号の入力画面は、例えば「暗証番号を入力してください」というメッセージと、テンキーと、入力された数値を表示する領域とを含む画面である。暗証番号が入力された場合、第２制御部２０２は、取得した住民票コード及び暗証番号をサーバコンピュータ３２０に送信する。サーバコンピュータ３２０は、受信した住民票コード及び暗証番号を用いて認証を行ないその結果を、拡張装置２００（第２制御部２０２）に送信する。認証結果が失敗であった場合、第２制御部２０２は、その旨を表示パネル１１６に表示する。成功であった場合、第２制御部２０２は、住民票コピーの条件を指定する画面を表示パネル１１６に表示する。なお、認証に失敗した場合、再度暗証番号の入力画面を表示して暗証番号の入力を受付けても、制御をステップ５００に戻してもよい。
【０１０５】
住民票コピーの条件には、本人のみ、世帯全員又は世帯の一部の指定、世帯主、続柄、本籍地及び筆頭者の記載の有無の指定、並びに、コピー部数等がある。したがって、これらを指定するための画面が、拡張装置２００から画像形成装置１００に送信されて表示パネル１１６に表示される。なお、第２制御部２０２は、住民票コピーの条件にしたがって必要な料金を計算し、その金額と、料金を硬貨投入部２４２又は紙幣投入部２４４（図２参照）に投入することを要求するメッセージとを含む画面を、表示パネル１１６に表示する。
【０１０６】
ステップ６８６において、第２制御部２０２は、必要な料金が投入されたか否かを判定する。投入されたと判定された場合、制御はステップ６８８に移行する。そうでなければ、制御はステップ６８４に戻る。
【０１０７】
ステップ６８８において、第２制御部２０２は、サーバコンピュータ３２０から画像データを取得してプリント処理を実行する。具体的には、第２制御部２０２は、住民票コピーの画像データを要求するデータ（以下「住民票データ要求」という）をサーバコンピュータ３２０に送信する。住民票データ要求には、住民票コード、住民票コピーの条件、及び送信先アドレス情報が含まれる。送信先アドレス情報は、画像形成装置１００のネットワークアドレス（例えば、第１ネットワークＩ／Ｆ部１２２であるＮＩＣのＩＰアドレス）である。サーバコンピュータ３２０は、受信した住民票コードを用いてデータベースを検索し、得られたデータ用いて、受信した住民票コピーの条件に合致する画像データを生成して、受信した送信先アドレス宛に、即ち画像形成装置１００に送信する。画像形成装置１００の第１制御部１０２は、サーバコンピュータ３２０から受信した画像データ（住民票のコピー）を、所定の記録紙（例えば、Ａ４サイズの記録紙）上に形成し、排紙トレイ１４０に排出する。その後、制御はステップ５００に戻る。なお、投入された金額が必要な金額よりも多い場合には、第２制御部２０２が残金を釣銭排出部２４６に排出した後に、制御はステップ５００に移行する。
【０１０８】
以上、図５及び図６に示した一連の処理により、ユーザに、原稿のコピー、原稿のスキャン、可搬性記憶媒体に記憶された画像データのプリント、又は住民票プリントのサービスを提供する場合に、画像形成システムの、サービス提供に関係しない構成要素への電力供給を停止することができる。したがって、本画像形成システムは、ユーザへのサービス提供に支障を生じることなく消費電力を低減することができる。
【０１０９】
図８のサービス選択画面７２０で、ユーザがコピーキー７２４、スキャンキー２７６又は住民票プリントキー７３０にタッチした時点で、画像形成システム（画像形成装置１００）の動作モードが決定するので、どの部分への電力供給を停止するべきかを決定することができる。一方、写真プリントキー７２８がタッチされた時点では、動作モードは確定されず、全ての機器に電力が供給されている。図９のプリント種類選択画面７４０において、記録紙のサイズをユーザが指定した段階で、動作モードが確定され、画像形成装置１００の第１画像形成部１０８又は拡張装置２００の第２画像形成部２１０の何れかが省電力モードに設定される。このように、サービス選択メニュー（操作画面）を階層化すると共に、何れの画像形成部を使用するかが特定できた時点で、該当する画像形成部を省電力状態に移行させるので、ユーザに対して段階的に操作方法を案内でき、ユーザビリティの向上と省電力とを両立させたシステムを提供することができる。
【０１１０】
図５及び図６に示したフローチャートは、種々変更されて実行され得る。例えば、各ステップにおいて、表示パネル１１６に表示する画面（画像）の生成、及びタッチパネル１１８に対するタッチ操作の検出に関しては、動作主体（第１制御部１０２及び第２制御部２０２）を適宜変更することができる。
【０１１１】
表示パネル１１６に表示する画面は、全て第１制御部１０２が生成するようにしても、全て第２制御部２０２が生成するようにしてもよい。全て第１制御部１０２が生成する場合には、第２制御部２０２は画面生成に必要な情報を第１制御部１０２に送信する。また、タッチパネル１１８の操作を、全て第１制御部１０２が検出するようにしても、全て第２制御部２０２が検出するようにしてもよい。第１制御部１０２及び第２制御部２０２の一方の制御部が検出したタッチに該当する処理を、他方の制御部が実行する場合には、一方の制御部から他方の制御部に、処理に必要な情報を送信すればよい。
【０１１２】
例えば、ステップ５０２において、第１制御部１０２が、画面生成部に省エネ待機画面７００を生成させて、表示パネル１１６に表示してもよい。また、ステップ５０４において、第１制御部１０２が、表示パネル１１６に表示されたサービス開始キー７０４がタッチされたか否かを判定してもよい。その場合、ステップ５０６において、第１制御部１０２は復帰コードを第２制御部２０２に送信する。
【０１１３】
上記では、ステップ６８８において、サーバコンピュータ３２０が住民票コピーの画像データを画像形成装置１００に送信する場合を説明したが、これに限定されない。サーバコンピュータ３２０が住民票コピーの画像データを拡張装置２００に送信し、拡張装置２００が、受信した画像データを用いてプリントジョブを生成して、画像形成装置１００に送信してもよい。その場合、第２制御部２０２からサーバコンピュータ３２０に送信する住民票データ要求に含まれる送信先アドレス情報は拡張装置２００のアドレス（例えば、第２ネットワークＩ／Ｆ部２２０であるＮＩＣのＩＰアドレス）である。
【０１１４】
上記では、画像形成システムが画像形成装置１００及び拡張装置２００を備え、第１制御部１０２及び第２制御部２０２が第１画像形成部１０８及び第２画像形成部２１０をそれぞれ制御する場合を説明したが、これに限定されない。１つの制御部が、第１画像形成部１０８及び第２画像形成部２１０を制御する構成であってもよい。例えば、画像形成システム全体を制御する１台の制御装置と、２台の画像形成装置とで画像形成システムを構成してもよい。その場合、メディアリーダ部２０６、ＩＣカードリーダ２０８、及び操作部１１２（表示パネル１１６及びタッチパネル１１８）をそれぞれ、どちらの画像形成装置に備えるかは任意である。
【０１１５】
また、本画像形成システムが提供するサービスは、上記したコピー、スキャン、写真プリント、及び住民票プリントに限定されない。例えば、サーバコンピュータ３２０からオンラインで提供される印鑑登録証明書等をプリントするサービスを提供してもよい。また、画像形成装置１００がファクシミリ機能を備えている場合には、ファクシミリ送信のサービスを提供してもよい。インターネットに接続されたコンピュータから所定のサーバコンピュータにアップロードされた画像データをプリントする機能を提供してもよい。
【０１１６】
記録紙のサイズは、上記したサイズに限定されない。装置間（画像形成装置１００及び拡張装置２００との間）で使用される記録紙の種類が異なっていればよい。サイズが異なっていてもよく、同じサイズであるが紙質（普通紙又は光沢紙等）が異なっていてもよい。
【０１１７】
また、上記では、各部への電力供給を停止する場合を説明したが、これに限定されない。例えば、第１画像形成部１０８への電力供給を停止する代わりに、第１画像形成部１０８を構成する定着ヒータへの電力供給のみを停止してもよい。また、第２画像形成部２１０への電力供給を停止する代わりに、第２画像形成部２１０（昇華型プリンタ）を構成する、固形インクを塗布したインクリボンを加熱するヒータへの電力供給のみを停止してもよい。
【０１１８】
拡張装置２００と画像形成装置１００との間で、ネットワーク３１０を介して、プリントする画像データの交換を行なう場合を説明したが、これに限定されない。ネットワーク３１０を介さず直接画像データを交換してもよい。例えば、拡張装置２００及び画像形成装置１００がＵＳＢインターフェイスを備えている場合、ＵＳＢケーブルを用いて直接画像データを交換するようにしてもよい。また、拡張装置２００から画像形成装置１００への、表示パネルに表示する画面データの送信も、ＵＳＢインターフェイスを介して行なってもよい。
【０１１９】
以上、実施の形態を説明することにより本発明を説明したが、上記した実施の形態は例示であって、本発明は上記した実施の形態に限定されるものではなく、種々変更して実施することができる。
【符号の説明】
【０１２０】
１００    画像形成装置
２００    拡張装置
３００    ルータ
３２０    サーバコンピュータ
３１０    ネットワーク
３１２    インターネット
１０２    第１制御部
１０４    第１記憶部
１０６    原稿読取部
１０８    第１画像形成部
１１０    第１電源部
１１２    操作部
１１４    第１ビデオＩ／Ｆ部
１１６    表示パネル
１１８    タッチパネル
１２０    第１シリアルＩ／Ｆ部
１２２    第１ネットワークＩ／Ｆ部
２０２    第２制御部
２０４    第２記憶部
２０６    メディアリーダ部
２０８    ＩＣカードリーダ
２１０    第２画像形成部
２１２    第２電源部
２１４    描画部
２１６    第２ビデオＩ／Ｆ部
２１８    第２シリアルＩ／Ｆ部
２２０    第２ネットワークＩ／Ｆ部
【図１】
2013168764.tif 000003
【図２】
2013168764.tif 000004
【図３】
2013168764.tif 000005
【図４】
2013168764.tif 000006
【図５】
2013168764.tif 000007
【図６】
2013168764.tif 000008
【図７】
2013168764.tif 000009
【図８】
2013168764.tif 000010
【図９】
2013168764.tif 000011
【図１０】
2013168764.tif 000012